(57)【要約】【課題】第３者による情報端末装置の不正利用により、遠方に位置する機器が不正に制御される恐れがないようにする。【解決手段】情報端末装置１により、操作者の身体的特徴を示す認証データを取り込み、この認証データを調査して操作者が本装置の使用を許諾されている人物であるか否かを調べて認証結果データを機器２に送信し、機器２からこの機器２の制御に必要な情報を受信しこの情報に基づいて、操作者の指示に従い本装置の有する操作キーのキーデータを機器２に送信し、機器２により、情報端末装置１より認証結果データを受信し、この認証結果データが予め本機器２に登録されているか否かを調べ、予め登録されているときに本機器２の制御に必要な情報を情報端末装置１に送信し、この送信に対応して情報端末装置１よりキーデータを受信しこのキーデータに応じて本機器２を制御するため、【選択図】      図１
2004179865.tif 000002
【特許請求の範囲】
【請求項１】
情報端末装置の操作により遠方に位置する機器をリモート制御するリモート制御システムにおいて、
本装置の操作者よりこの操作者の身体的特徴を示す認証データを取り込み、この認証データを調査して前記操作者が本装置の使用を許諾されている人物であるか否かを調べ、この調べた結果が前記操作者が本装置の使用を許諾されている人物であることを示すときに認証結果データを送信し、この送信に対応して前記機器の制御に必要な情報を受信しこの情報に基づいて、前記操作者の指示に従い本装置の有する操作キーのキーデータを送信する前記情報端末装置と、
前記情報端末装置が送信した前記認証結果データを受信し、この受信した前記認証結果データが予め本機器に登録されているか否かを調べ、この調べた結果が前記認証結果データが予め本機器に登録されていることを示すときに本機器の制御に必要な前記情報を前記情報端末装置に送信し、この送信に対応して前記情報端末装置が送信した前記キーデータを受信しこの受信した前記キーデータに応じて本機器を制御する前記機器と、
を備えたことを特徴とするリモート制御システム。
【請求項２】
前記情報端末装置は、本装置の使用を許諾されている人物の前記認証データを示す認証用データを予め登録しておき、前記取り込んだ前記認証データが予め登録した前記認証用データと一致するか否かを調べることにより前記操作者が本装置の使用を許諾されている人物であるか否かを調べるようにしたことを特徴とする請求項１記載のリモート制御システム。
【請求項３】
前記情報端末装置は、本装置の使用を許諾されている複数の人物のそれぞれの前記認証データを示す複数の認証用データを予め登録しておき、前記取り込んだ前記認証データが予め登録した複数の前記認証用データ内にあるか否かを調べることにより前記操作者が本装置の使用を許諾されている人物であるか否かを調べるようにしたことを特徴とする請求項１記載のリモート制御システム。
【請求項４】
前記機器はこの機器の制御に必要な前記情報を電子メールにより前記情報端末装置に送信し、前記情報端末装置は、前記機器より前記電子メールを受信しこの電子メールに含まれる前記機器の制御に必要な前記情報に基づいて、前記操作者の指示に従い本装置の有する前記操作キーのキーデータを前記機器に送信するようにしたことを特徴とする請求項１、２又は３記載のリモート制御システム。
【請求項５】
前記認証結果データには前記情報端末装置のメールアドレスが含まれ、前記機器は前記認証結果データに含まれる前記メールアドレスに前記電子メールを送信するようにしたことを特徴とする請求項４記載のリモート制御システム。
【請求項６】
情報端末装置の操作により遠方に位置する機器をリモート制御するリモート制御システムにおいて、
本装置の操作者よりこの操作者の身体的特徴を示す認証データを取り込み、この認証データを調査して前記操作者が本装置の使用を許諾されている人物であるか否かを調べ、この調べた結果が前記操作者が本装置の使用を許諾されている人物であることを示すときに認証結果データを出力する認証処理手段と、
前記認証処理手段が出力した前記認証結果データを送信するとともにキーデータを受けて送信するデータ送信手段と、
前記データ送信手段による前記認証結果データの送信に対応して前記機器の制御に必要な情報を含む電子メールを受信しこの電子メールを表示するメール受信表示手段と、
前記メール受信表示手段に表示された前記電子メールの内容に基づいて、前記操作者の指示により本手段の有する操作キーの前記キーデータを前記データ送信手段に出力する操作キー手段と、
を有する前記情報端末装置と、
前記データ送信手段が送信した前記認証結果データを受信して出力し、前記電子メールを受けて前記情報端末装置に送信し、前記情報端末装置が送信した前記キーデータを受信して出力する無線送受信手段と、
前記無線送受信手段が出力した前記認証結果データを受けこの認証結果データが予め本機器に登録されているか否かを調べ、この調べた結果が前記認証結果データが予め本機器に登録されていることを示すときに前記電子メールを前記無線送受信手段に出力し、前記無線送受信手段が出力した前記キーデータを受けてこのキーデータに応じて本機器を制御する制御手段と、
を有する前記機器と、
を備えたことを特徴とするリモート制御システム。
【請求項７】
前記認証処理手段は、本装置の使用を許諾されている人物の前記認証データを示す認証用データを予め登録しておき、前記取り込んだ前記認証データが予め登録した前記認証用データと一致するか否かを調べることにより前記操作者が本装置の使用を許諾されている人物であるか否かを調べるようにしたことを特徴とする請求項６記載のリモート制御システム。
【請求項８】
前記認証処理手段は、本装置の使用を許諾されている複数の人物のそれぞれの前記認証データを示す複数の認証用データを予め登録しておき、前記取り込んだ前記認証データが予め登録した複数の前記認証用データ内にあるか否かを調べることにより前記操作者が本装置の使用を許諾されている人物であるか否かを調べるようにしたことを特徴とする請求項６記載のリモート制御システム。
【請求項９】
前記認証結果データには前記情報端末装置のメールアドレスが含まれ、前記制御手段は、前記無線送受信手段を介して前記認証結果データに含まれる前記メールアドレスに前記電子メールを送信するようにしたことを特徴とする請求項６記載のリモート制御システム。
【請求項１０】
前記認証データは、前記操作者を撮像した画像データであることを特徴とする請求項１から９の何れか１項記載のリモート制御システム。
【請求項１１】
前記認証データは、前記操作者の指紋を採取した指紋データであることを特徴とする請求項１から９の何れか１項記載のリモート制御システム。
【請求項１２】
前記認証データは、前記操作者を撮像した画像データと前記操作者の指紋を採取した指紋データとを組み合わせたものであることを特徴とする請求項１から９の何れか１項記載のリモート制御システム。
【請求項１３】
情報端末装置の操作により遠方に位置する機器をリモート制御するようにしたリモート制御方法において、
前記情報端末装置により、本装置の操作者よりこの操作者の身体的特徴を示す認証データを取り込む第１のステップと、
前記情報端末装置により、前記第１のステップで取り込んだ前記認証データを調査して前記操作者が本装置の使用を許諾されている人物であるか否かを調べ、この調べた結果が前記操作者が本装置の使用を許諾されている人物であることを示すときに認証結果データを送信する第２のステップと、
前記機器により、前記情報端末装置が送信した前記認証結果データを受信し、この受信した前記認証結果データが予め本機器に登録されているか否かを調べ、この調べた結果が前記認証結果データが予め本機器に登録されていることを示すときに本機器の制御に必要な情報を前記情報端末装置に送信する第３のステップと、
前記情報端末装置により、前記第３のステップで送信された前記機器の制御に必要な前記情報を受信し、この情報に基づいて、前記操作者の指示に従い本装置の有する操作キーのキーデータを送信する第４のステップと、
前記機器により、前記第４のステップで送信された前記キーデータを受信しこの受信した前記キーデータに応じて本機器を制御する第５のステップと、
を備えたことを特徴とするリモート制御方法。
【請求項１４】
前記第２のステップでは、前記情報端末装置により、この情報端末装置の使用を許諾されている人物の前記認証データを示す認証用データを予め登録しておき、前記取り込んだ前記認証データが予め登録した前記認証用データと一致するか否かを調べることにより前記操作者が本装置の使用を許諾されている人物であるか否かを調べるようにしたことを特徴とする請求項１３記載のリモート制御方法。
【請求項１５】
前記第２のステップでは、前記情報端末装置により、この情報端末装置の使用を許諾されている複数の人物のそれぞれの前記認証データを示す複数の認証用データを予め登録しておき、前記取り込んだ前記認証データが予め登録した複数の前記認証用データ内にあるか否かを調べることにより前記操作者が本装置の使用を許諾されている人物であるか否かを調べるようにしたことを特徴とする請求項１３記載のリモート制御方法。
【請求項１６】
前記第３のステップでは、前記機器により、この機器の制御に必要な前記情報を電子メールにより前記情報端末装置に送信し、
前記第４のステップでは、前記情報端末装置により、前記第３のステップで送信された前記電子メールを受信しこの電子メールに含まれる前記機器の制御に必要な前記情報に基づいて、前記操作者の指示に従い本装置の有する前記操作キーのキーデータを前記機器に送信するようにしたことを特徴とする請求項１３、１４又は１５記載のリモート制御方法。
【請求項１７】
前記第２のステップでは、前記情報端末装置により、この情報端末装置のメールアドレスを含む前記認証結果データを送信し、前記第３のステップでは、前記機器により、前記認証結果データに含まれる前記メールアドレスに前記電子メールを送信するようにしたことを特徴とする請求項１６記載のリモート制御方法。
【請求項１８】
前記第１のステップでは、前記情報端末装置により、前記操作者を撮像しこの撮像した画像データを前記認証データとして取り込むようにしたことを特徴とする請求項１３から１７の何れか１項記載のリモート制御方法。
【請求項１９】
前記第１のステップでは、前記情報端末装置により、前記操作者の指紋を採取しこの採取した指紋データを前記認証データとして取り込むようにしたことを特徴とする請求項１３から１７の何れか１項記載のリモート制御方法。
【請求項２０】
前記第１のステップでは、前記情報端末装置により、前記操作者を撮像するとともに前記操作者の指紋を採取し、この撮像した前記操作者の画像データとこの採取した前記操作者の指紋データとを組み合わせたものを前記認証データとして取り込むようにしたことを特徴とする請求項１３から１７の何れか１項記載のリモート制御方法。
【発明の詳細な説明】
【０００１】
【発明の属する技術分野】
本発明はリモート制御システム及びリモート制御方法に関し、特に情報端末装置の操作により遠方に位置する機器をリモート制御するリモート制御システム及びリモート制御方法に関する。
【０００２】
【従来の技術】
従来、この種のリモート制御システムは、遠方に位置する機器をリモート制御するために用いられている。
【０００３】
例えば、特許文献１に記載の従来のリモート制御システムは、携帯電話機によってロッカーを遠隔制御する場合に、携帯電話機の発信者番号をロッカー制御機に記憶させてロッカーを施錠しロッカー施錠後に、ロッカー制御機は、記憶している発信者番号の携帯電話機から通知を受けてロッカーを解錠するようにしている。
【０００４】
【特許文献１】
特開２００２−１０９６３０号公報（段落「００１７」−「００２０」、図１、図２）
【０００５】
【発明が解決しようとする課題】
上述した従来のリモート制御システムは、携帯電話機の発信者番号をロッカー制御機に記憶させてロッカーを施錠し、ロッカー制御機は、記憶している発信者番号の携帯電話機から通知を受けてロッカーを解錠するようにしているため、携帯電話機の発信者番号をロッカーの利用者の識別番号としてロッカーを管理している。このため、携帯電話機を利用してロッカーを遠隔制御しようとする携帯電話機の操作者がこの携帯電話機を使用してロッカーを借りた本人か否かを確認できないので、第３者により携帯電話機を不正に利用され、ロッカーを解錠される恐れがあるという問題がある。
【０００６】
本発明の目的はこのような従来の欠点を除去するため、第３者による携帯電話機の不正利用により、遠方に位置する機器が不正に制御される恐れのないリモート制御システム及びリモート制御方法を提供することにある。
【０００７】
【課題を解決するための手段】
本発明第１のリモート制御システムは、情報端末装置の操作により遠方に位置する機器をリモート制御するリモート制御システムにおいて、
本装置の操作者よりこの操作者の身体的特徴を示す認証データを取り込み、この認証データを調査して前記操作者が本装置の使用を許諾されている人物であるか否かを調べ、この調べた結果が前記操作者が本装置の使用を許諾されている人物であることを示すときに認証結果データを送信し、この送信に対応して前記機器の制御に必要な情報を受信しこの情報に基づいて、前記操作者の指示に従い本装置の有する操作キーのキーデータを送信する前記情報端末装置と、
前記情報端末装置が送信した前記認証結果データを受信し、この受信した前記認証結果データが予め本機器に登録されているか否かを調べ、この調べた結果が前記認証結果データが予め本機器に登録されていることを示すときに本機器の制御に必要な前記情報を前記情報端末装置に送信し、この送信に対応して前記情報端末装置が送信した前記キーデータを受信しこの受信した前記キーデータに応じて本機器を制御する前記機器と、
を備えて構成されている。
【０００８】
また、本発明第１のリモート制御システムの前記情報端末装置は、本装置の使用を許諾されている人物の前記認証データを示す認証用データを予め登録しておき、前記取り込んだ前記認証データが予め登録した前記認証用データと一致するか否かを調べることにより前記操作者が本装置の使用を許諾されている人物であるか否かを調べるようにしている。
【０００９】
更に、本発明第１のリモート制御システムの前記情報端末装置は、本装置の使用を許諾されている複数の人物のそれぞれの前記認証データを示す複数の認証用データを予め登録しておき、前記取り込んだ前記認証データが予め登録した複数の前記認証用データ内にあるか否かを調べることにより前記操作者が本装置の使用を許諾されている人物であるか否かを調べるようにしている。
【００１０】
また、本発明第１のリモート制御システムにおいて、前記機器はこの機器の制御に必要な前記情報を電子メールにより前記情報端末装置に送信し、前記情報端末装置は、前記機器より前記電子メールを受信しこの電子メールに含まれる前記機器の制御に必要な前記情報に基づいて、前記操作者の指示に従い本装置の有する前記操作キーのキーデータを前記機器に送信するようにしている。
【００１１】
本発明の第２のリモート制御システムは、情報端末装置の操作により遠方に位置する機器をリモート制御するリモート制御システムにおいて、
本装置の操作者よりこの操作者の身体的特徴を示す認証データを取り込み、この認証データを調査して前記操作者が本装置の使用を許諾されている人物であるか否かを調べ、この調べた結果が前記操作者が本装置の使用を許諾されている人物であることを示すときに認証結果データを出力する認証処理手段と、
前記認証処理手段が出力した前記認証結果データを送信するとともにキーデータを受けて送信するデータ送信手段と、
前記データ送信手段による前記認証結果データの送信に対応して前記機器の制御に必要な情報を含む電子メールを受信しこの電子メールを表示するメール受信表示手段と、
前記メール受信表示手段に表示された前記電子メールの内容に基づいて、前記操作者の指示により本手段の有する操作キーの前記キーデータを前記データ送信手段に出力する操作キー手段と、
を有する前記情報端末装置と、
前記データ送信手段が送信した前記認証結果データを受信して出力し、前記電子メールを受けて前記情報端末装置に送信し、前記情報端末装置が送信した前記キーデータを受信して出力する無線送受信手段と、
前記無線送受信手段が出力した前記認証結果データを受けこの認証結果データが予め本機器に登録されているか否かを調べ、この調べた結果が前記認証結果データが予め本機器に登録されていることを示すときに前記電子メールを前記無線送受信手段に出力し、前記無線送受信手段が出力した前記キーデータを受けてこのキーデータに応じて本機器を制御する制御手段と、
を有する前記機器と、
を備えて構成されている。
【００１２】
また、本発明の第２のリモート制御システムの前記認証処理手段は、本装置の使用を許諾されている人物の前記認証データを示す認証用データを予め登録しておき、前記取り込んだ前記認証データが予め登録した前記認証用データと一致するか否かを調べることにより前記操作者が本装置の使用を許諾されている人物であるか否かを調べるようにしている。
【００１３】
更に、本発明の第１と第２のリモート制御システムの前記認証データは、前記操作者を撮像した画像データである。
【００１４】
また、本発明の第１と第２のリモート制御システムの前記認証データは、前記操作者の指紋を採取した指紋データである。
【００１５】
本発明のリモート制御方法は、情報端末装置の操作により遠方に位置する機器をリモート制御するようにしたリモート制御方法において、
前記情報端末装置により、本装置の操作者よりこの操作者の身体的特徴を示す認証データを取り込む第１のステップと、
前記情報端末装置により、前記第１のステップで取り込んだ前記認証データを調査して前記操作者が本装置の使用を許諾されている人物であるか否かを調べ、この調べた結果が前記操作者が本装置の使用を許諾されている人物であることを示すときに認証結果データを送信する第２のステップと、
前記機器により、前記情報端末装置が送信した前記認証結果データを受信し、この受信した前記認証結果データが予め本機器に登録されているか否かを調べ、この調べた結果が前記認証結果データが予め本機器に登録されていることを示すときに本機器の制御に必要な情報を前記情報端末装置に送信する第３のステップと、
前記情報端末装置により、前記第３のステップで送信された前記機器の制御に必要な前記情報を受信し、この情報に基づいて、前記操作者の指示に従い本装置の有する操作キーのキーデータを送信する第４のステップと、
前記機器により、前記第４のステップで送信された前記キーデータを受信しこの受信した前記キーデータに応じて本機器を制御する第５のステップと、
を含んで構成されている。
【００１６】
また、本発明のリモート制御方法において、前記第２のステップでは、前記情報端末装置により、この情報端末装置の使用を許諾されている人物の前記認証データを示す認証用データを予め登録しておき、前記取り込んだ前記認証データが予め登録した前記認証用データと一致するか否かを調べることにより前記操作者が本装置の使用を許諾されている人物であるか否かを調べるようにしている。
【００１７】
更に、本発明のリモート制御方法において、前記第２のステップでは、前記情報端末装置により、この情報端末装置の使用を許諾されている複数の人物のそれぞれの前記認証データを示す複数の認証用データを予め登録しておき、前記取り込んだ前記認証データが予め登録した複数の前記認証用データ内にあるか否かを調べることにより前記操作者が本装置の使用を許諾されている人物であるか否かを調べるようにしている。
【００１８】
また、本発明のリモート制御方法において、前記第３のステップでは、前記機器により、この機器の制御に必要な前記情報を電子メールにより前記情報端末装置に送信し、
前記第４のステップでは、前記情報端末装置により、前記第３のステップで送信された前記電子メールを受信しこの電子メールに含まれる前記機器の制御に必要な前記情報に基づいて、前記操作者の指示に従い本装置の有する前記操作キーのキーデータを前記機器に送信するようにしている。
【００１９】
更に、本発明のリモート制御方法において、前記第１のステップでは、前記情報端末装置により、前記操作者を撮像しこの撮像した画像データを前記認証データとして取り込むようにしている。
【００２０】
また、本発明のリモート制御方法において、前記第１のステップでは、前記情報端末装置により、前記操作者の指紋を採取しこの採取した指紋データを前記認証データとして取り込むようにしている。
【００２１】
【発明の実施の形態】
次に、本発明の実施の形態について図面を参照して説明する。
【００２２】
図１は、本発明のリモート制御システムの一つの実施の形態を示すブロック図である。
【００２３】
図１に示す本実施の形態は、携帯電話機、ＰＤＡ（パーソナル・デジタル・アシスタント）、ＰＤＣ（パーソナル・デジタル・セルラー）等の情報端末装置１と、この情報端末装置１の操作によりリモート制御される家電製品等の機器２とにより構成する。
【００２４】
情報端末装置１は、本装置の操作者よりこの操作者の身体的特徴を示す認証データを取り込み、この認証データを調査して操作者が本装置の使用を許諾されている人物であるか否かを調べて認証結果データを機器２に送信し、機器２よりこの機器２の制御に必要な情報を受信し、この情報に基づいて、操作者の指示に従い本装置の有する操作キーのキーデータを送信する。
【００２５】
機器２は、情報端末装置１が送信した認証結果データを受信し、この受信した認証結果データが予め本機器２に登録されているか否かを調べ、予め本機器２に登録されているときにこの機器２の制御に必要な情報を情報端末装置１に送信し、この送信に対応して情報端末装置１が送信したキーデータを受信しこの受信したキーデータに応じて本機器２を制御する。
【００２６】
情報端末装置１は、認証データ入力部１１、表示部１３、認証処理部１２、データ送信部１４、メール受信部１５及び操作キー部１６により構成する。
【００２７】
認証データ入力部１１は、操作者の身体的特徴を示す認証データを取り込む。表示部１３は、認証データ入力部１１が取り込んだ認証データを表示し、メール受信部１５が受信した電子メールを表示する。認証処理部１２は、認証データ入力部１１が取り込んだ認証データを調査して操作者が本装置の使用を許諾されている人物であるか否かを調べ、この調べた結果が操作者が本装置の使用を許諾されている人物であることを示すときに認証結果データを出力する。データ送信部１４は、認証処理部１２が出力した認証結果データを機器２に送信するとともに操作キー部１６よりキーデータを受けて機器２に送信する。メール受信部１５は、機器２の制御に必要な情報を含む電子メールを受信する。操作キー部１６は、表示部１３に表示された電子メールの内容に基づいて、操作者の指示に従い本操作キー部１６の有する操作キーのキーデータをデータ送信部１４に出力する。
【００２８】
機器２は、無線送受信部２１と制御部２２とにより構成する。
【００２９】
無線送受信部２１は、情報端末装置１のデータ送信部１４が送信した認証結果データを受信して出力し、電子メールを受けて情報端末装置１に送信し、情報端末装置１が送信したキーデータを受信して出力する。制御部２２は、無線送受信部２１が出力した認証結果データを受けこの認証結果データが予め本機器２に登録されているか否かを調べ、予め本機器２に登録されているときに本機器２の制御に必要な情報を含む電子メールを無線送受信部２１に出力し、無線送受信部２１が出力したキーデータを受けてこのキーデータに応じて本機器２を制御する。
【００３０】
次に、本実施の形態のリモート制御システムの動作を図２，図３及び図４を参照して詳細に説明する。
【００３１】
図２は、本発明の実施の形態の動作の一例を示し、本発明のリモート制御方法の一例を示すフローチャートである。
【００３２】
図３は、情報端末装置内の認証処理部の構成の一例を示す図であり、認証処理部１２は、認証データ調査部１７、認証用データ登録部１８及び認証部１９より構成する。
【００３３】
認証用データ登録部１８には、この情報端末装置１の例えば購入時や使用契約時に、この情報端末装置１の使用を許す人物の、例えば顔の前面を撮像した画像データを認証用データとして予め登録する。この登録は例えば情報端末装置１の契約会社で変更ができる。ここで、情報端末装置１の使用を許す人物は複数であっても、この情報端末装置１の所有者本人だけでも良い。
【００３４】
認証データ調査部１７は、認証データ入力部１１より認証データを受け、この認証データが認証用データ登録部１８に登録されているか否かを調査し、この認証データに対応する人物がこの情報端末装置１の使用を許諾されている人物であるか否かを調べ、照合結果データを出力する。
【００３５】
認証部１９は、認証データ調査部１７より照合結果データを受け、この情報端末装置１を特定することができるデータを照合結果データに付け加えて認証結果データとしてデータ送信部１４へ出力する。
【００３６】
図４は、機器内の制御部の構成の一例を示す図であり、制御部２２は、データ登録部２４、データ処理部２３及びデータ制御部２５により構成する。
【００３７】
データ登録部２４には、この機器２のリモート制御を許可した情報端末装置１を特定するためのデータを認証結果確認用データとして予め登録する。
【００３８】
データ処理部２３は、情報端末装置１が送信したデータを無線送受信部２１を介して受け、このデータが認証結果データのときには、この認証結果データに対応する認証結果確認用データがデータ登録部２４に登録されているか否かを調べ、登録されているときには、一致データをデータ制御部２５に出力する。このデータがキーデータのときには、このキーデータをデータ制御部２５に出力する。
【００３９】
データ制御部２５は、データ処理部２３より一致データを受けたときには、この機器２の制御に必要な情報を含む電子メールを無線送受信部２１を介して情報端末装置１に送信する。また、キーデータを受けたときには、このキーデータに応じてこの機器２を制御する。
【００４０】
図１において、図２のステップ２１では、例えばＣＣＤカメラ等を備えた認証データ入力部１１により、情報端末装置１の操作者の操作によりこの操作者の例えば顔の前面を撮像しこの撮像した画像データを認証データとして取り込み、表示部１３と認証処理部１２に出力し、表示部１３はこの認証データを表示する。
【００４１】
図２のステップ２２では、認証処理部１２により、認証データ入力部１１より認証データを受けてこの認証データを処理する。すなわち、図３に示すように、認証データ調査部１７が、認証データ入力部１１より認証データを受け、この認証データが認証用データ登録部１８に登録されているか否かを調査し、この認証データが登録されているときには、この認証データに対応する人物がこの情報端末装置１の使用を許諾されている人物であることを示す照合結果データを表示部１３とデータ送信部１４とへ出力し、この認証データが登録されていないときには、この認証データに対応する人物がこの情報端末装置１の使用を許諾されていない人物であることを示す照合結果データを表示部１３へ出力する。表示部１３はこの照合結果データを表示する。認証データが登録されていないときには、この情報端末装置１の使用ができないようにしたり、情報端末装置１の使用が可能な機能を限定したりしても良い。
【００４２】
図２のステップ２３では、図３に示すように、認証部１９が、認証データ調査部１７より照合結果データを受け、この情報端末装置１のメールアドレス、電話番号、パスワード等をこの照合結果データに付け加えて認証結果データとしてデータ送信部１４を介して機器２へ送信する。
【００４３】
図２のステップ２４では、データ処理部２３により、無線送受信部２１を介して情報端末装置１より認証結果データを受け、この認証結果データに対応する認証結果確認用データがデータ登録部２４に登録されているか否かを調べ、登録されているときには、この認証結果データとともに一致データをデータ制御部２５に出力する。
【００４４】
図２のステップ２５では、データ制御部２５により、データ処理部２３から一致データと認証結果データを受け、この機器２の制御に必要な情報を含む電子メールを認証結果データに含まれるメールアドレス宛に無線送受信部２１を介して送信する。機器２が例えば、エアコンの場合には、例えば「”１”を押すことにより、電源をＯＮして下さい。」等の電子メールである。以後、機器２をエアコンとして記載する。
【００４５】
図２のステップ２６では、情報端末装置１のメール受信部１５により、エアコンより電子メールを受信しこの電子メールを表示部１３に表示する。
【００４６】
図２のステップ２７では、情報端末装置１の操作者は、表示部１３に表示された「”１”を押すことにより、電源をＯＮして下さい。」等の電子メールを見て、操作キー部１６の操作キーを操作して”１”を押すと、操作キー部１６は、”１”に対応するキーデータをデータ送受信部を介してエアコンに送信する。
【００４７】
図２のステップ２８では、データ処理部２３により、無線送受信部２１を介して情報端末装置１からキーデータを受け、このキーデータをデータ制御部２５に出力する。
【００４８】
図２のステップ２９では、データ制御部２５は、データ処理部２３よりキーデータを受け、このキーデータが”１”に対応しているので、このエアコンの電源をＯＮする。
【００４９】
図２のステップ３０では、データ制御部２５は、このエアコンの制御に必要な次の情報を含む電子メールを認証結果データに含まれるメールアドレス宛に無線送受信部２１を介して送信する。例えば「設定温度を入力して下さい。設定温度を２６度にするときには、”２”、”６”を続けて押して下さい。」等の電子メールである。
【００５０】
図２のステップ３１では、情報端末装置１のメール受信部１５により、エアコンより電子メールを受信しこの電子メールを表示部１３に表示する。
【００５１】
図２のステップ３２では、情報端末装置１の操作者は、表示部１３に表示された「設定温度を入力して下さい。設定温度を２６度にするときには、”２”、”６”を続けて押して下さい。」等の電子メールを見て、操作キー部１６の操作キーを操作して”２”、”６”を続けて押すと、操作キー部１６は、”２”、”６”に対応するキーデータをデータ送受信部を介してエアコンに送信する。
【００５２】
図２のステップ３３では、データ処理部２３により、無線送受信部２１を介して情報端末装置１からキーデータを受け、このキーデータをデータ制御部２５に出力する。
【００５３】
図２のステップ３４では、データ制御部２５は、データ処理部２３よりキーデータを受け、このキーデータが”２”、”６”に対応しているので、このエアコンの温度を２６度に設定する。
【００５４】
データ制御部２５は、このエアコンの制御に必要な情報が更にあるときには、この情報を含む電子メールを認証結果データに含まれるメールアドレス宛に無線送受信部２１を介して送信する。そして、ステップ１１からステップ１４の動作と同様な動作をする。そして、エアコンの制御に必要な情報が無くなるまでステップ１０からステップ１４と同様な動作を繰り返す。
【００５５】
図２のステップ３５では、データ制御部２５は、エアコンの制御に必要な情報がなくなり、エアコンのリモート制御動作が終了すると、制御完了通知を認証結果データに含まれるメールアドレス宛の電子メールにより無線送受信部２１を介して送信する。
【００５６】
図２のステップ３６では、情報端末装置１のメール受信部１５により、エアコンより制御完了通知の電子メールを受信しこの電子メールを表示部１３に表示し、操作者はエアコンのリモート制御が完了したことを認識する。
【００５７】
以上の説明では、認証用データ登録部１８に画像データを認証用データとして予め登録し、図２のステップ２１で、画像データを認証データとして取り込んで、図２のステップ２２で、この認証データが認証用データ登録部１８に登録されているか否かを調査して、この認証データに対応する人物がこの情報端末装置１の使用を許諾されている人物であるか否かを調べていたが、認証用データ登録部１８に、この情報端末装置１の使用を許す人物の指紋を採取した指紋データを認証用データとして予め登録し、図２のステップ２１で、指紋採取装置等により指紋データを認証データとして取り込んで、図２のステップ２２で、この認証データが認証用データ登録部１８に登録されているか否かを調査して、この認証データに対応する人物がこの情報端末装置１の使用を許諾されている人物であるか否かを調べても良い。
【００５８】
また、認証用データ登録部１８に画像データと指紋データとを組み合わせて認証用データとして予め登録し、図２のステップ２１で、画像データと指紋データとを認証データとして取り込んで、図２のステップ２２で、この認証データが認証用データ登録部１８に登録されているか否かを調査して、この認証データに対応する人物がこの情報端末装置１の使用を許諾されている人物であるか否かを調べても良い。
【００５９】
更に、以上の説明では、操作者の身体的特徴を示す認証データとして顔の画像データと指紋データとを挙げたが、これにこだわることなく身体的特徴を示すデータであれば良い。
【００６０】
【発明の効果】
以上説明したように、本発明によれば、情報端末装置により、操作者の身体的特徴を示す認証データを取り込み、この認証データを調査して操作者が本装置の使用を許諾されている人物であるか否かを調べて認証結果データを機器に送信し、機器からこの機器の制御に必要な情報を受信しこの情報に基づいて、操作者の指示に従い本装置の有する操作キーのキーデータを機器に送信し、機器により、情報端末装置より認証結果データを受信し、この認証結果データが予め本機器に登録されているか否かを調べ、予め登録されているときに本機器の制御に必要な情報を情報端末装置に送信し、この送信に対応して情報端末装置よりキーデータを受信しこのキーデータに応じて本機器を制御するため、
情報端末装置により、操作者の身体的特徴を示す認証データを取り込み、この認証データに基づいてこの操作者が本装置の使用を許諾されている人物であるか否かを調べ、この操作者が本装置の使用を許諾されている人物であるときに、情報端末装置により、この操作者の指示に従い機器をリモート制御するので、第３者による情報端末装置の不正利用により、遠方に位置する機器が不正に制御される恐れがない。
【図面の簡単な説明】
【図１】本発明のリモート制御システムの一つの実施の形態を示すブロック図である。
【図２】本発明の実施の形態の動作の一例を示し、本発明のリモート制御方法の一例を示すフローチャートである。
【図３】情報端末装置内の認証処理部の構成の一例を示す図である。
【図４】機器内の制御部の構成の一例を示す図である。
【符号の説明】
１    情報端末装置
２    機器
１１    認証データ入力部
１２    認証処理部
１３    表示部
１４    データ送信部
１５    メール受信部
１６    操作キー部
１７    認証データ調査部
１８    認証用データ登録部
１９    認証部
２１    無線送受信部
２２    制御部
２３    データ処理部
２４    データ登録部
２５    データ制御部
【図１】
2004179865.tif 000003
【図２】
2004179865.tif 000004
【図３】
2004179865.tif 000005
【図４】
2004179865.tif 000006